(57)【要約】【課題】  本発明は、銀行券、パスポート、有価証券、カード、印紙類、商品タグ、美術紙等の貴重品に適用する偽造防止用紙に関するものである。【解決手段】  本発明の偽造防止用紙は、基材の少なくとも一部にすかしから成る線とすかしから成る微小表示体を組み合わせて、透過光で観察した場合に線と微小表示体が一本の連続線として視認される偽造防止用紙において、微小表示体は斜体で形成されて成り、線と微小表示体の境界の線の角度が斜体の傾斜角度と同一であることを特徴とする。【選択図】  図１
2018114638.tif 000002
【特許請求の範囲】
【請求項１】
基材の少なくとも一部にすかしから成る線とすかしから成る微小表示体を組み合わせて、透過光で観察した場合に前記線と前記微小表示体が一本の連続線として視認される偽造防止用紙において、
前記微小表示体は斜体で形成されて成り、
前記線と前記微小表示体の境界の前記線の角度が前記斜体の傾斜角度と同一であることを特徴とする偽造防止用紙。
【請求項２】
前記斜体の傾斜角度が２０°〜７０°の範囲であることを特徴とする請求項１記載の偽造防止用紙。
【請求項３】
前記線と前記微小表示体の境界において、
前記線と前記微小表示体が接触又は一部重なっていることを特徴とする請求項１又は２記載の偽造防止用紙。
【請求項４】
前記線の幅は、前記微小表示体の高さに対して５０％〜１００％の範囲内であることを特徴とする請求項１から３までのいずれか一項記載の偽造防止用紙。
【発明の詳細な説明】
【技術分野】
【０００１】
本発明は、銀行券、パスポート、有価証券、カード、印紙類、商品タグ、美術紙等の貴重品に適用する偽造防止用紙に関するものである。
【背景技術】
【０００２】
現在、銀行券、パスポート、有価証券、カード、印紙類、商品タグ、美術紙等の貴重品には様々な偽造防止技術が用いられている。例えば、製紙、印刷技術によって施される偽造防止技術として肉眼では認識できない程度の大きさの表示体（以下「微小表示体」という。）が挙げられる。微小表示体は、複写機、スキャナ等の複写防止対策の一つとして有効であり、肉眼で視認しにくい１００μｍ〜１，０００μｍ程度の微細な文字、記号等を印刷、すき入れで形成する技術である。例えば、すき入れで形成した微小表示体の真偽判別方法は、透過光下ではっきりとすき入れから成る微小表示体は確認できないが、微小表示体を拡大鏡で観察した場合に視認可能であり、更には複写機で複写すると微小表示体は正確に再現されないため、本物か複写物であるか否か容易に判別することができることを特徴とする。
【０００３】
例えば、印刷で形成された微小表示体は、シートの適所に印刷する線の少なくとも一部を、拡大すると視認可能で、通常状態では単に線として視認される大きさの文字等で印刷するとともに、この文字等の印刷部分に連なる線の部分の色を文字等の印刷部分と同一濃度に視認されるよう設定したことを特徴とする偽造防止シートが開示されている（例えば、特許文献１参照）。
【０００４】
すき入れで形成された微小表示体は、微小紋様がすき入れによって用紙に形成されていることを特徴とする透かし入り用紙が開示されている（例えば、特許文献２参照）。
【先行技術文献】
【特許文献】
【０００５】
【特許文献１】特許第３３８８５５２号
【特許文献２】特開２００５−１７１４２９号
【発明の概要】
【発明が解決しようとする課題】
【０００６】
しかしながら、すき入れで形成した微小表示体は、図７に示すような従来の線の一部を微小表示体（５´）で形成した形態において、微小表示体が通常の文字等で形成されていたため、線と微小表示体が同一濃度で視認することが困難であり、違和感が生じ、線内に何らかの情報が施されていることが容易に推測できるものであった。
【０００７】
そこで、本発明は、前述した課題の解決を目的とするものであり、線内に微小表示体を違和感なく組み込むことが可能な偽造防止用紙を提供することを目的とする。
【課題を解決するための手段】
【０００８】
本発明の偽造防止用紙は、基材の少なくとも一部にすかしから成る線とすかしから成る微小表示体を組み合わせて、透過光で観察した場合に線と微小表示体が一本の連続線として視認される偽造防止用紙において、微小表示体は斜体で形成されて成り、線と微小表示体の境界の線の角度が斜体の傾斜角度と同一であることを特徴とする。
【０００９】
本発明の偽造防止用紙は、斜体の傾斜角度が２０°〜７０°の範囲であることを特徴とする。
【００１０】
本発明の偽造防止用紙は、線と微小表示体の境界において、線と微小表示体が接触又は一部重なっていることを特徴とする。
【００１１】
本発明の偽造防止用紙の線の幅は、微小表示体の高さに対して５０％〜１００％の範囲内であることを特徴とする。
【発明の効果】
【００１２】
本発明の偽造防止用紙の微小表示体は、斜体で形成しているため、線と微小表示体がほぼ同一濃度で視認可能であり、違和感がなく、線内に何らかの情報が施されていることが一見して判断することができないため、偽造防止用紙として適している。
【００１３】
また、本発明の偽造防止用紙の線と微小表示体の境界の線において、線の角度が斜体の傾斜角度と同一、線と微小表示体が接触又は一部重なることで、線と微小表示体の境界の透過光で観察した場合の濃度差が大きくなることを防ぐことが可能となる。
【図面の簡単な説明】
【００１４】
【図１】第一の実施形態における偽造防止用紙（１）を示す平面図である。
【図２】第一の実施形態における偽造防止用紙（１）の連続線（３）を示す拡大図である。
【図３】斜体の傾斜角度の説明図である。
【図４】画線（４）の一例を示す図である。
【図５】第二の実施形態における偽造防止用紙（１）の連続線（３）を示す拡大図である。
【図６】第三の実施形態における偽造防止用紙（１）の連続線（３）を示す拡大図である。
【図７】従来の微小表示体（５´）を示す図である。
【発明を実施するための形態】
【００１５】
（第一の実施形態）
図１は、第一の実施形態における偽造防止用紙（１）（以下「用紙」という。）の一例を示す平面図である。用紙（１）は、基材（２）上の少なくとも一部に、肉眼で透過光で観察した場合に連続して視認される線（以下「連続線（３）」という。）が形成されている。連続線（３）は、線（４）と微小表示体（５）を組み合わせて形成される。本発明の特徴の一つである微小表示体（５）は、複数の斜体で形成されて成る。なお、図１に示すように、連続線（３）以外の領域には、料額、文字、他の模様等の必要な情報が、公知の印刷方式（例えば、凹版印刷、オフセット印刷等）により施されていてもよい。
【００１６】
基材（２）は、上質紙、コート紙、アート紙等の用紙を用いることができる。基材（２）及びその色彩は、透過光で観察した場合に光を透過できれば、特に限定されるものではない。
【００１７】
図２は、本発明の用紙（１）の連続線（３）を示す拡大図である。前述したとおり連続線（３）は、すかしから成る線（４）とすかしから成る微小表示体（５）を組み合わせて形成され、微小表示体（５）は、複数の斜体で形成されて成る。図２に示すように斜体で形成された微小表示体（５）は、規則的に配置され、線（４）と微小表示体（５）は接することがない。
【００１８】
図２で示す斜体で形成された微小表示体（５）は、「ＪＰＮ」を繰り返した文字を一例としているが本発明はこれに限定されることなく、文字、記号、数字、ロゴマーク又は特殊記号等でもよい。また、斜体で形成された微小表示体（５）のフォントについても、明朝体、ゴシック体、特殊フォント等、特に限定されることがない。また、微小表示体（５）の大きさについては、１００μｍから１，０００μｍまでの範囲、好ましくは３００μｍから６００μｍまでである。１００μｍより小さい場合には、微小表示体自体の作製が困難であり、１，０００μｍより大きくなると目視で微小表示体が認識できてしまい微小表示体の効果が得られなくなるおそれが生じる。なお、微小表示体の大きさとは、文字の高さ及び／又は幅の長さのことである。
【００１９】
斜体で形成された微小表示体（５）は、傾斜角度が２０°〜７０°の範囲であることが好ましい。ここでいう傾斜角度とは、図３に示すように微小表示体（５）が傾いた角度（θ）のことである。傾斜角度が２０°よりも小さいと後述する線面積率が稼ぎ難くなり、７０°よりも大きいと文字等から成る微小表示体（５）が拡大鏡で把握し難い形態となる。
【００２０】
図２で示す線（４）は、直線を一例として示しているが、本発明はこれに限定されることなく、図４（ａ）に示すように直線、図４（ｂ）に示すように曲線、図４（ｃ）に示すように破線、図４（ｄ）に示すように円形、その他彩紋模様等、特に限定されるものではない。また、線（４）の幅は、１００μｍから１，０００μｍまでの範囲、好ましくは１５０μｍから６００μｍまでである。
【００２１】
図７に示した従来の微小表示体（５´）は、傾斜のない文字で形成されているため、本発明のすかしから成る微小表示体（５）よりもすかしから成る線の面積が低い状態になり易い。つまり、本発明の微小表示体（５）は斜体であるため単位面積当たりの線の面積率が稼ぎ易く、非線領域を狭くし易いメリットが得られる。よって、線（４）の領域と微小表示体（５）の領域で濃度調整をしなくても透過光で観察した場合に線（４）と微小表示体（５）が一本の連続線として視認し易い状況になる。
【００２２】
線（４）と微小表示体（５）の関係について下記に説明する。線（４）の幅は、微小表示体（５）の高さと同一以下であることが好ましい。さらに、好ましくは、線（４）の幅は、微小表示体（５）の高さに対して５０％〜１００％の範囲内である。これは、線（４）と微小表示体（５）の単位面積当たりの面積率は、線（４）＞微小表示体（５）の関係であるため、線（４）の幅が微小表示体（５）の高さに対して５０％より小さい場合、又は、１００％よりも大きい場合は、透過光で観察した場合に線（４）と微小表示体（５）が一本の連続線（３）として視認し難い形態となる。
【００２３】
また、前述したとおり、線（４）と微小表示体（５）の単位面積当たりの面積率は、線（４）＞微小表示体（５）の関係であるため、線（４）の色彩濃度は、微小表示体（５）の色彩濃度に対して同一濃度以下が好ましい。さらに、好ましくは、線（４）の色彩濃度は、微小表示体（５）の色彩濃度よりも低濃度である。
【００２４】
本発明のすかしから成る線（４）とすかしから成る微小表示体（５）の作製は、従来のすかしを作製する方法、例えば、ダンディーロール等で形成することができる。すかしの種類は白すかし、黒すかし、白黒すかしのいずれでもよく、特に限定されるものではない。
【００２５】
（第一の実施形態の作用）
本発明の偽造防止用紙の線（４）と微小表示体（５）は、透過光で観察した場合に連続線（３）として視認でき、違和感がなく、線内に何らかの情報が施されていることが一見して判断することができない。また、微小表示体（５）を拡大鏡で観察した場合に微小表示体（５）の文字等がはっきりと視認できる。また、複写機で複製物を作製した場合に微小表示体（５）は正確に再現することができず複製物であることが容易に判断することができる。
【００２６】
（第二の実施形態）
図５は、第三の実施形態における用紙（１）の連続線（３）を示す拡大図である。なお、第一の実施形態と同様の内容についての一部の説明は、省略する。
【００２７】
第一の実施形態と同様に、第二の実施形態の用紙（１）の連続線（３）は、線（４）と微小表示体（５）を組み合わせて形成され、微小表示体（５）は、複数の斜体で形成されて成る。図５に示すように斜体で形成された微小表示体（５）は、規則的に配置され、線（４）と微小表示体（５）は接することがなく、線（４）と微小表示体（５）の境界（６）の線（４）において、線（４）の角度が微小表示体（５）の斜体の傾斜角度と同一である。
【００２８】
（第二の実施形態の作用）
第二の実施形態における用紙（１）は、線（４）と微小表示体（５）の境界（６）の線（４）において、線（４）の角度が微小表示体（５）の斜体の傾斜角度と同一であるため、透過光で観察した場合に線（４）と微小表示体（５）の境界の濃度差が大きくなることを防ぎ、境界の違和感をなくすことができる。
【００２９】
（第三の実施形態）
図５は、第三の実施形態における用紙（１）の連続線（３）を示す拡大図である。なお、第二の実施形態と同様の内容についての一部の説明は、省略する。
【００３０】
第二の実施形態と同様に、第三の実施形態の用紙（１）の連続線（３）は、線（４）と微小表示体（５）を組み合わせて形成され、微小表示体（５）は、複数の斜体で形成され、線（４）と微小表示体（５）の境界（６）の線（４）において、線（４）の角度が微小表示体（５）の斜体の傾斜角度と同一である。図６に示すように斜体で形成された微小表示体（５）は、規則的に配置され、線（４）と微小表示体（５）の境界（６）に当たる線（４）と微小表示体（５）同士が接触又は一部重なっている。
【００３１】
（第三の実施形態の作用）
第三の実施形態における用紙（１）は、線（４）と微小表示体（５）が接触又は一部重なっているため、透過光で観察した場合に線（４）と微小表示体（５）の境界の濃度差が大きくなることを防ぎ、境界の違和感をなくすことができる。
【符号の説明】
【００３２】
１          用紙
２          基材
３、３´    連続線
４、４´    線
５、５´    微小表示体
６          境界
θ          角度
【図１】
2018114638.tif 000003
【図２】
2018114638.tif 000004
【図３】
2018114638.tif 000005
【図４】
2018114638.tif 000006
【図５】
2018114638.tif 000007
【図６】
2018114638.tif 000008
【図７】
2018114638.tif 000009